(57)【要約】  携帯ハンドセット等の無線通信デバイス（１０）は、サポーティング通信ネットワーク（１４）を介して公開されたコンテンツを取得し、コンテンツを追加して公開されたコンテンツを修正し、サポーティング通信ネットワーク（１４）を介して修正されたコンテンツを再公開する。例えば、装置（１０）は、Ｗｅｂフィードを介して公開されたコンテンツを取得し、コメントや他の修正をそのコンテンツに追加する能力をユーザに提供し、修正されたコンテンツを再公開してもよい。少なくとも一実施形態においては、修正されたコンテンツを再公開することには、もとのフィードと同じでも異なっていてもよい、Ｗｅｂフィードを介してアクセス用の修正済みコンテンツをポストすることによって、その修正済みコンテンツがもともとポストされたコンテンツの再公開版であることを識別できるようにすることが含まれる。一例として、装置のユーザは、ポットキャスト等からオーディオコンテンツを取得し、そのコンテンツを聴き、所望のコメントを挿入し、その修正済みコンテンツを再公開することができるが、これらはすべて移動環境で行われる。
2009512013.tif 000002
【特許請求の範囲】
【請求項１】
無線通信デバイス（１０）において、以前公開された電子形式のコンテンツを再公開する方法であって、
サポーティング通信ネットワーク（１４）を介して、公開されたコンテンツを取得する工程と、
コンテンツを追加して前記公開されたコンテンツを修正する工程と、
前記サポーティング通信ネットワーク（１４）を介して、前記修正されたコンテンツを再公開する工程と、
を有する方法。
【請求項２】
サポーティング通信ネットワーク（１４）を介して、公開されたコンテンツを取得する前記工程は、前記サポーティング通信ネットワーク（１４）を介してアクセス可能なＷｅｂフィードからオーディオコンテンツをダウンロードする工程を有し、
コンテンツの追加して前記公開されたコンテンツを修正する前記工程は、前記ダウンロードされたオーディオコンテンツにオーディオコンテンツを追加する工程を有する、請求項１に記載の方法。
【請求項３】
前記サポーティング通信ネットワーク（１４）を介して、前記修正されたコンテンツを再公開する前記工程は、前記公開されたコンテンツの再公開版として前記修正されたコンテンツをリストするようにＷｅｂフィードを更新する工程を有する、請求項２に記載の方法。
【請求項４】
前記Ｗｅｂフィードはポッドキャストを備え、
前記オーディオコンテンツをダウンロードする前記工程は、前記ポッドキャストに関連づけられたオーディオファイルをダウンロードする工程を有し、
コンテンツを追加して前記公開されたコンテンツを修正する前記工程は、前記無線通信デバイス（１０）のユーザインターフェイス（３４）を介して編集機能を提供する工程と、前記ユーザインターフェイス（３４）を介して、前記無線通信デバイス（１０）のユーザから受信した新たなオーディオコンテンツを挿入もしくは付加する工程と、を有する、請求項２に記載の方法。
【請求項５】
サポーティング通信ネットワーク（１４）を介して、公開されたコンテンツを取得する前記工程は、
前記サポーティング通信ネットワーク（１４）を介してアクセス可能なＷｅｂフィードに公開されたコンテンツを取得する工程を有する、請求項１に記載の方法。
【請求項６】
コンテンツを追加して前記公開されたコンテンツを修正する前記工程は、前記コンテンツの少なくとも一部として再公開情報を追加する工程を有する、請求項１に記載の方法。
【請求項７】
再公開情報を追加する前記工程は、前記再公開されたコンテンツを後に識別および取得することを支援する、定義された再公開タグを追加する工程を有する、請求項１に記載の方法。
【請求項８】
再公開情報を追加する前記工程は、
修正時間を示す時間の情報を挿入または付加する工程と、
修正位置を示す無線通信デバイス位置情報を挿入または付加する工程と、
前記再公開されたコンテンツを後に識別および取得することを支援する、定義された再公開タグを挿入または付加する工程と、
のうち少なくとも１つを有する、請求項６に記載の方法。
【請求項９】
修正位置を示す無線通信デバイス位置を挿入または付加する前記工程は、
前記公開されたコンテンツの修正の際に前記無線通信デバイス（１０）がどこに位置していたかを識別する位置情報を、前記公開されたコンテンツに挿入もしくは付加する工程を有する、請求項１０に記載の方法。
【請求項１０】
前記サポーティング通信ネットワーク（１４）を介して前記無線通信デバイス（１０）がアクセス可能な、１以上の電子フィードにおいて利用可能なコンテンツの指標を、前記無線通信デバイス（１０）のユーザインターフェイス（３４）を介して生成する工程をさらに有する、請求項１に記載の方法。
【請求項１１】
前記サポーティング通信ネットワーク（１４）を介して前記無線通信デバイス（１０）がアクセス可能な、１以上の電子フィードにおいて利用可能なコンテンツの指標を、前記無線通信デバイス（１０）のユーザインターフェイス（３４）を介して生成する前記工程は、
前記無線通信デバイス（１０）のディスプレイスクリーン（３６）に、アイコン、または他の指標を表示する工程を有する、請求項１０に記載の方法。
【請求項１２】
コンテンツを追加して前記公開されたコンテンツを修正する前記工程は、
前記公開されたコンテンツと異なるタイプのコンテンツを追加する工程を含む、請求項１に記載の方法。
【請求項１３】
サポーティング通信ネットワーク（１４）を介して、公開されたコンテンツを取得し、
コンテンツを追加して前記公開されたコンテンツを修正し、
前記サポーティング通信ネットワーク（１４）を介して前記修正されたコンテンツを再公開する
ように構成された１以上の処理回路（３０）を有する、無線通信デバイス（１０）。
【請求項１４】
前記１以上の処理回路（３０）が、
前記サポーティング通信ネットワーク（１４）を介してアクセス可能なＷｅｂフィードからオーディオコンテンツをダウンロードして、公開されたコンテンツを取得し、
前記ダウンロードされたオーディオコンテンツに新たなオーディオコンテンツを追加して、前記公開されたコンテンツを修正する
ように構成された、請求項１３に記載の無線通信デバイス（１０）。
【請求項１５】
前記１以上の処理回路（３０）が、
前記公開されたコンテンツの再公開版として前記修正されたコンテンツをリストするようにＷｅｂフィードを更新することによって、前記修正されたコンテンツを再公開するように構成された、請求項１４に記載の無線通信デバイス（１０）。
【請求項１６】
前記Ｗｅｂフィードにはポッドキャストが含まれ、
前記１以上の処理回路（３０）が、
前記ポッドキャストに関連付けられたオーディオファイルをダウンロードし、
当該無線通信デバイス（１０）のユーザインターフェイスを介して編集機能を提供し、該ユーザインターフェイスを介して受け取った新たなオーディオコンテンツを挿入もしくは付加して、前記公開されたコンテンツを修正する
ように構成された、請求項１４に記載の無線通信デバイス（１０）。
【請求項１７】
前記１以上の処理回路（３０）が、
前記サポーティング通信ネットワーク（１４）を介してアクセス可能なＷｅｂフィードに公開されたコンテンツを取得することによって公開されたコンテンツを取得する
ように構成された、請求項１３に記載の無線通信デバイス（１０）。
【請求項１８】
前記１以上の処理回路（３０）が、
前記追加されたコンテンツの少なくとも一部分として、再公開情報を追加することによって、前記公開されたコンテンツを修正するように構成された、請求項１３に記載の無線通信デバイス（１０）。
【請求項１９】
前記１以上の処理回路（３０）が、
前記修正されたコンテンツを後に識別および取得することを支援する、定義された再公開タグを追加することによって、再公開情報を追加するように構成された、請求項１３に記載の無線通信デバイス（１０）。
【請求項２０】
前記１以上の処理回路（３０）が、
修正時間を示す時間情報を挿入もしくは付加することと、
修正位置を示す無線通信デバイス位置情報を挿入もしくは付加することと、
前記修正されたコンテンツを後に識別および取得することを支援する、定義された再公開タグを挿入もしくは付加することと、
の少なくともいずれかにより再公開情報を追加するように構成された、請求項１８に記載の無線通信デバイス（１０）。
【請求項２１】
前記１以上の処理回路（３０）が、
前記公開されたコンテンツの修正の際の無線通信デバイス（１０）の位置を示す位置情報を、前記公開されたコンテンツに挿入もしくは付加するように構成された、請求項２０に記載の無線通信デバイス（１０）。
【請求項２２】
前記１以上の処理回路（３０）が、
前記サポーティング通信ネットワーク（１４）を介して、前記無線通信デバイス（１０）によってアクセス可能な、１以上の電子フィードにおける新たなコンテンツの利用可能性を示すユーザインターフェイスの指標を生成するように構成された、請求項１３に記載の無線通信デバイス（１０）。
【請求項２３】
前記１以上の処理回路（３０）が、
前記無線通信デバイス（１０）のディスプレイスクリーン（３６）に指標を表示することと、
前記無線通信デバイス（１０）のオーディオ出力回路（４２）を介して音声信号を出力することと、
の少なくともいずれかにより、ユーザインターフェイスの指標を生成するように構成された、請求項２２に記載の無線通信デバイス（１０）。
【発明の詳細な説明】
【技術分野】
【０００１】
本発明は携帯ハンドセット等の無線通信デバイスに関し、特に、例えば、Ｗｅｂフィードや前述のデバイスから取得される電子的コンテンツを再公開することに関する。
【背景技術】
【０００２】
Ｗｅｂフィードは電子的コンテンツを提供するための一般的な手段となってきている。一例として、Ｗｅｂフィードの構築は、拡張可能マークアップ言語（ＸＭＬ：eXtensible Markup Language）で記述されたドキュメントを、ネットワークを介してアクセス可能な、Ｗｅｂサーバ等のコンピュータに配置することで達成される。さらに詳しくは、ＸＭＬドキュメントは、埋め込まれた電子的コンテンツ、もしくはそのようなコンテンツへのリンクを有する、アイテムリストを持っている。フィードの購読者は、新たなコンテンツが利用可能になった際にアクセス出来るように、アイテムリストのファイルの変更を見たり、もしくは監視したりする。
【０００３】
Ｗｅｂフィードを購読するための様々な手法が存在する。一例として、パーソナルコンピュータ（ＰＣ）はアグリゲータ・ソフトウェア（aggregator software、集約ソフトウエア）によって構成してもよい。アグリゲータは選択されたＷｅｂフィードを監視して、更新されたコンテンツのリストをユーザに提供する。また、アグリゲータは、選択されたフィードから、更新されたコンテンツを自動的に取得するように構成することができる。一般的に、特定のタイプのフィードを対象とするアグリゲータには、特定の名前が付いている。例えば、ニュースフィード（例えばＲＳＳに基づくニュースフィード）を対象とするアグリゲータはニュースリーダと呼ばれることが多いが、「ポッドキャスト」フィードを対象とするアグリゲータは「ポッドキャッチャ」と呼ばれることが多い。
【０００４】
ポッドキャストフィードは一般的に、ＭＰ３ファイル等のオーディオファイルを含むか、あるいは、オーディオファイルへのリンクを有するような、アイテムリストを有しているが、そこからビデオ等の他の種類のコンテンツが排除されるわけではない。ポッドキャストはおそらく、続きもののオーディオコンテンツをＷｅｂへ公開することにおいて、プロフェッショナルおよびアマチュアの双方にとって、非常に有用であろう。例えば、有名なラジオの（もしくはオンラインの）トークや、特に興味深い番組は、新たなコンテンツがポストされたときに更新されるＷｅｂフィードを介して、ダウンロード可能なオーディオファイルやビデオファイルとして利用可能となることが多い。また、いわゆる「ブロガー」も、興味を持ったユーザが対応するＷｅｂフィードを介してダウンロードしてもよいようなコンテンツを頻繁にポストする。
【発明の開示】
【発明が解決しようとする課題】
【０００５】
おそらく、その特徴は一律に決定づけられるわけではないが、ほとんどのＷｅｂフィードは頻繁に更新されるコンテンツを提供しており、これによって、非常に興味深い時事的な情報が、毎日、毎時間、さらには分きざみで、購読者に提供される。したがって、このようなフィードを介してアクセスされるコンテンツが流布することによって、携帯無線通信デバイスの使用が補完される。すなわち、Ｗｅｂフィードコンテンツに時間や場所にとらわれることなくアクセスしたいという願望によって、Ｗｅｂフィードを購読したり、関連したコンテンツを無線通信デバイスを介して取得したりする能力が、魅力的で、ますます人気のある選択肢となるのである。
【課題を解決するための手段】
【０００６】
携帯ハンドセット等の無線通信デバイスは、公開されたコンテンツをＷｅｂフィードを介して取得し、解説やその他の修正をコンテンツに加える能力をユーザに提供し、修正されたコンテンツを再公開するように構成される。少なくとも一つの実施形態においては、修正されたコンテンツを再公開することには、元々のフィードと同じであったり違ったりしてもよいＷｅｂフィードを介してアクセスされる修正されたコンテンツを、修正されたコンテンツが元々のコンテンツを修正したものとして識別出来るように、ポストすることが含まれる。一例として、デバイスのユーザはポッドキャスト等から、オーディオコンテンツを取得し、コンテンツを聴いて、所望のコメントを挿入し、修正されたコンテンツを再公開することができるが、これらは全て移動環境で行われる。
【０００７】
もちろん本発明は上述の特徴や利点に限ったものではない。実際に、当業者は、以下の詳細な説明を読み、添付の図を参照することによって、更なる特徴や利点を確認できるであろう。
【発明を実施するための最良の形態】
【０００８】
図１は、サポーティング通信ネットワーク１４を介して、直接、もしくは間接的に１以上の（電子的）コンテンツのソース１２と通信的に結び付けられた、無線通信デバイス１０を示している。コンテンツのソース１２は、公開されたコンテンツをポッドキャストや、他の種類のＷｅｂフィードを介して提供し、無線通信デバイス１０は、そのようなコンテンツの取得、修正、再公開をサポートするように構成されている。デバイス１０の潜在的に恵まれたユーザインターフェイスと無線による可動性によってそのようなアクションが補完され、デバイス１０のユーザは、フィードのコンテンツをダウンロードし、コンテンツを見たり聴いたりし、ダウンロードしたポッドキャストファイルにコメントを加えたりする等、コンテンツに追加または修正を行い、そして、修正したコンテンツを再公開することが可能になる。
【０００９】
例えば、図１では、デバイス１０にコンテンツソース１２へのアクセスを与える、インターネット等の１以上のデータネットワーク１６に、サポーティング無線通信ネットワーク１４がリンクもしくは通信的に結び付いている。ここに示す実施形態では、デバイス１０は、受信／送信アンテナ２０と、スイッチ／デュプレクサ２２と、受信回路２４と、送信回路２６と、公開されたコンテンツの取得、修正、再公開をサポートするように構成された１以上の処理回路３０を含むベースバンド処理／システム制御回路２８と、メモリ回路３２と、ユーザインターフェイス３４とを備える。少なくとも一つの実施形態では、ユーザインターフェイス３４は、ディスプレイ３６と、キーパッド３８と、マイクロフォン４０と、スピーカ４２（もしくは他のオーディオ出力デバイスもしくはシステム）とを含む。
【００１０】
制限しない例として、デバイス１０はＧＳＭ／ＧＰＲＳまたは広帯域ＣＤＭＡ（ＷＣＤＭＡ）ハンドセット等の携帯ハンドセットを備え、一方、サポーティング通信ネットワーク１４は、デバイス１０との無線通信、およびデータネットワーク１６とのバックエンド通信をサポートするために必要な、無線アクセス・ネットワーク・エンティティおよびコアネットワーク・エンティティを含む携帯電話のネットワークを備える。
【００１１】
当然、デバイス１０は無線のポケットベルや、ＰＤＡや、パームトップ／ラップトップ型のコンピュータや他のタイプの携帯通信デバイスとして構成することができることは理解されるべきであろう。目的の使用法や、所望の特徴は、デバイス１０の特定の実装を決定づけるであろう。そして、サポーティング通信ネットワーク１４の詳細は、デバイス１０の特定の実装に従って変化するであろうことを理解すべきであろう。例えば、サポーティング通信ネットワーク１４は、ＷｉＦｉまたはBluetoothのような短距離無線ネットワークを備えてもよいし、WiMaxのような広範囲の無線ネットワークを備えてもよく、また、デバイス１０の通信回路（受信部２４と送信部２６）は、与えられた実装において求められる、特定のエア・インタフェースをサポートするために必要なように構成されるであろう。
【００１２】
とにかく、デバイス１０の１以上の処理回路３０は、公開されたコンテンツをサポーティング通信ネットワーク１４を介して取得し、その公開されたコンテンツをコンテンツを加えることで修正し、その修正されたコンテンツをサポーティング通信ネットワーク１４を介して再公開するよう構成される。そのような処理回路３０は、ソフトウェア（またはファームウェア）において実装されるコンピュータプログラムの命令に従うように構成された、１以上の、マイクロプロセッサと、デジタル・シグナル・プロセッサと、アプリケーション専用集積回路と、フィールド・プロクラマラブル・ゲートアレイと、他のタイプのデジタル処理回路と、の少なくともいずれかを含んでもよい。そのような回路は、ベースバンド・プロセッサ／システム制御回路２８の他の信号および制御機能と共有されてもよい。
【００１３】
図２は、メモリ回路３２に格納されてもよいような、コンピュータプログラム命令を１以上の処理回路を介して実行することによって実装されてもよい、コンテンツ再公開機能を示している。図３は、再公開機能５０の機能要素により実装されてもよい、対応するプログラムロジックを示している。
【００１４】
図３を参照すると、処理は、公開された（所望の）コンテンツを１以上のコンテンツソース１２から取得することから「始まる」（ステップ１００）ことがわかる。したがって、図２に示された、コンテンツ取得機能５２は、例えば、構成された購読情報やユーザの入力に基づいて、コンテンツソース１２からコンテンツを取得するように構成されてもよい。
【００１５】
例えば、再公開機能５０は、利用可能なＷｅｂフィードの情報をディスプレイ３６に表示し、新たに公開されたコンテンツの利用可能性を調べるためにどのフィードを監視すべきかを示す、デバイス１０のユーザの選択の入力を、キーパッド３８を介して受け取ってもよい。取得機能５２はしたがって、ポッドキャスト等のフィードの定期購読を継続し、新たに公開されたコンテンツが利用可能になった時に、もしくはそのような取得を望んでいることを示す入力をデバイスのユーザが提供した時に、新たに公開されたコンテンツをデバイス１０に取得（ダウンロード）してもよい。
【００１６】
図３の処理フローは取得したコンテンツの修正（ステップ１０２）に続くが、これはデバイスのユーザによる編集のために、取得したコンテンツを再生／表示することにより実現してもよい。したがって、図２に示された修正機能５４は、デバイスのユーザが、デバイス１０に取得された、公開されたコンテンツを、見て（聴いて）編集することを可能にするプレイバック／編集機能として構成されてもよい。処理は、修正機能５４を介した、取得され公開されたコンテンツの修正（ステップ１０４）に続く。すなわち、修正機能５４はユーザが、同じもしくは異なるタイプのコンテンツを取得したコンテンツに加えることを可能にする。
【００１７】
例えば、修正機能５４はオンスクリーン・プレイバックと編集操作を用いて、ダウンロードしたオーディオファイルを再生するよう構成されてもよく、これにより、ユーザは、与えられたファイルを聴いて、ファイルに好きなように新たな音声解説を挿入もしくは付加できるようになる。したがって、ユーザは、ユーザインターフェイス３４のマイクロフォン４０に話しかけることによって、ファイルの所与の箇所で再生を停止し、個人のコメントを挿入する（例えば、同意する点や同意しない点など）ことができよう。
【００１８】
図３の処理は、修正したコンテンツの再公開に続く（ステップ１０６）。そのために、図２のように、再公開機能５６は、修正されたコンテンツの、自動的な再公開と、ユーザの指示に応じた再公開との少なくともいずれかを行う。一つの例として、修正されたコンテンツは、対応する公開済みのコンテンツを取得したフィード、もしくは少なくとも同じフィードにリンクされたフィードと同じフィードにおいて再公開され、これによりオリジナルのコンテンツと修正されたコンテンツの両方がフィードの加入者から利用可能となる。他の実施形態では、再公開されたコンテンツは、同じフィード、異なるフィード、もしくは複数のフィードにポストされてもよい。
【００１９】
上記の詳細より、ソフトウェアもしくはファームウェアとしての再公開機能５０の実装を介して、例えばサポーティング通信ネットワーク１４を介して公開されたコンテンツを取得し、コンテンツを追加することで公開されたコンテンツを修正し、再公開された修正済みのコンテンツを他人が取得可能なようにサポーティング通信ネットワーク１４を介して修正されたコンテンツを再公開するように、１以上の処理回路３０を構成してもよいということが一般的に理解されるだろう。このような動作には、サポーティング通信ネットワーク１４を介してアクセス可能なＷｅｂフィードからオーディオコンテンツをダウンロードすることと、取得したオーディオコンテンツを新たなオーディオコンテンツを加えることで修正することが含まれてもよい。
【００２０】
（オーディオ）Ｗｅｂフィードはポッドキャストを含んでもよく、これにより、所与のポッドキャストに関連付けられたオーディオファイルがダウンロードされたオーディオコンテンツに含まれ、また、ユーザインターフェイス３４を介して受信した新たなオーディオコンテンツを挿入したり付加したりすることを可能にする編集機能をユーザインターフェイス３４を介して提供することが、ダウンロードされたオーディオコンテンツの修正に含まれるようにしてもよい。しかしながら、ダウンロードもしくは加えられたコンテンツのタイプに関わらず、公開された電子的コンテンツの再公開版として修正されたコンテンツを掲載するよう、Ｗｅｂフィードを更新することで修正されたコンテンツを再公開するように、１以上の処理回路３０を構成してもよいことを理解すべきである。
【００２１】
そのために、１以上の処理回路３０は、デバイス１０で有利に利用可能であってもよい特定のタイプのコンテンツを加えることで、公開されたコンテンツを修正するように構成されてもよい。例えば、図４は、取得したコンテンツに対して追加するためにユーザが生成または選択した新たなコンテンツに加えて、または、それに代えて、取得したコンテンツの修正および再公開の一部として再公開情報を追加するように、１以上の処理回路３０を構成してもよいことを示している。
【００２２】
例えば、１以上の処理回路３０は、修正の時刻を示す時間情報を挿入もしくは付加することと、修正された場所を示す無線通信デバイスの位置情報を挿入もしくは付加することと、再公開されたコンテンツを後に特定して取得する際に助けとなる定義された再公開タグを挿入もしくは付加することと、の少なくとも１つを行うことで、再公開情報を付加するように構成してもよい。
【００２３】
再公開機能５０とは独立した他の機能の支援により、位置情報を手に入れるか、さもなければ受信してもよいようなデバイス１０内で、位置情報が容易に利用可能であってもよい。制限なしの例として、ベースバンド／システム制御回路２８はＧＰＳの位置回路を含んだり、もしくは関連づけられたりしてよく、このＧＰＳ位置回路は、受信回路２４に含まれ、もしくは関連づけられた、対応する信号受信回路を有してもよい。ＧＰＳの受信は、図１に示された受信／送信アンテナ２０を共有してもよいし、もしくは他のアンテナ（不図示）を使用してもよい。もちろん、デバイス１０の場所を判定するために使用される特定の手法は、再公開情報としてそれを使用することに関して、再公開されるコンテンツを“位置スタンプ（location-stamp）”することに限られない。位置スタンプは、例えば再公開されたコンテンツが特定の場所と関連があるという証拠としての、関連情報を与える。
【００２４】
デバイス１０においてすでに利用可能な再公開情報の他の一例として、デバイスのクロックの時間（時刻）は、取得されたコンテンツの修正に対してタイムスタンプを付与するために使われてもよい。そのような情報は修正日時の情報を提供し、これは、再公開されたコンテンツを識別し、取得することに興味を持っている他のユーザにとって有用となりうる。
【００２５】
他の例として、再公開されたコンテンツを後に識別および取得する際の助けとするために、１以上の処理回路３０は、修正されたコンテンツに再公開タグを付加するように構成してもよい。そのようなタグは、ＸＭＬに基づいたリストを用いたＷｅｂフィードや、コンテンツサーバ１２で、もしくはコンテンツサーバ１２を介して利用可能なコンテンツファイルで用いられているようなメタタグであってもよい。メタタグは、所与の再公開の性質（批評、コメント、拡張など）を識別する再公開の文法の一部であってもよいし、もしくはそれを定義してもよく、また、追加されるコンテンツのタイプ（例えば、テキスト、写真、ビデオ、マルチメディア）に関する識別子を提供してもよい。例えば、メモリ回路３２は再公開タグを格納してもよいし、および／または、デバイス１０は、コンテンツサーバ１２から、カスタムのもしくは標準化された再公開タグを取得してもよい。
【００２６】
さらに好都合な特性として、１以上の処理回路３０は、サポーティング通信ネットワーク１４を介してデバイス１０がアクセス可能な、１以上の電子フィードで利用可能な新たなコンテンツを示すユーザインターフェイスのインジケータ（指標）を生成するように構成されてもよい。したがって、ユーザインターフェイス３４は、インジケータ（例えば、ディスプレイ・スクリーン３６上のアイコン、および／またはスピーカ４２を介した音声信号の出力）を表示するように使用されてもよい。新たなコンテンツのインジケーション（通知）機能は、選択された１以上のＷｅｂフィード上で新たな（オリジナルの）コンテンツがいつ公開されたか、および／または、再公開されたコンテンツがいつポストされたか、もしくはさもなければいつ利用可能になったかを識別するように構成してもよく、これにより、例えば、他者による再公開の行動を複数のユーザに知らせておくことが可能になる。
【００２７】
加えて、コンテンツサーバ１２は、サポーティング通信ネットワーク１４に対して新たなコンテンツの利用可能性のインジケーションを提供してもよく、また、サポーティング通信ネットワーク１４は、対象のユーザ（例えば、更新されたＷｅｂフィードの加入者）に対して、無線の信号を生成して、送信するように構成することができる。そのような機能性は、マルチメディア・ゲートウェイ（ＭＧＷｓ: Multimedia Gateways）、もしくはパケット・データ・サービング・ノード（ＰＤＳＮｓ: Packet Data Serving Nodes）等の、既存のパケット・データ・エンティティに組み込むことができ、あるいは、サポーティング通信ネットワーク１４に含まれるパケット・コア・ネットワークか、もしくは関連づけられたインターネット・マルチメディア・サブシステム（ＩＭＳ）に新たなエンティティを追加してもよい。
【００２８】
そのような追加の特性や性能に関わらず、本発明によれば、すべてが移動環境で動作する、１以上の電子フィードを介して利用可能な電子的コンテンツの取得、再生もしくは表示、編集、または再公開を行うように構成された無線通信デバイスが広く提供されることを、当業者は十分よく理解するべきである。したがって、本発明は、上に詳しく説明した特性や利点にも、または添付図面にも限定されるわけではない。実際、本発明は、特許請求の範囲の記載とその法的な均等物にのみ限定される。
【図面の簡単な説明】
【００２９】
【図１】無線通信デバイスと、電子的コンテンツを再公開するように構成されたサポーティング無線通信ネットワークのブロック図である。
【図２】再公開機能のブロック図であり、図１に示す無線通信デバイスにおいてコンピュータプログラムとして実装してもよい。
【図３】コンテンツ再公開の一実施形態に係る論理フロー図である。
【図４】再公開の修正機能のブロック図であり、再公開方法の一部として電子的コンテンツに付加することが可能な、１以上のタイプの再公開情報を示している。
【図１】
2009512013.tif 000003
【図２】
2009512013.tif 000004
【図３】
2009512013.tif 000005
【図４】
2009512013.tif 000006
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
無線通信デバイス（１０）において、以前公開された電子形式のコンテンツを再公開する方法であって、
前記サポーティング通信ネットワーク（１４）を介してアクセス可能なＷｅｂフィードからオーディオコンテンツをダウンロードすることによって、サポーティング通信ネットワーク（１４）を介して、公開されたコンテンツを取得する工程と、
前記ダウンロードされたオーディオコンテンツにオーディオコンテンツを追加することによって、コンテンツを追加して前記公開されたコンテンツを修正する工程と、
前記公開されたコンテンツの再公開版として前記修正されたコンテンツをリストするようにＷｅｂフィードを更新することによって、前記サポーティング通信ネットワーク（１４）を介して、前記修正されたコンテンツを再公開する工程と、
を有する方法。
【請求項２】
前記Ｗｅｂフィードはポッドキャストを備え、
前記オーディオコンテンツをダウンロードする前記工程は、前記ポッドキャストに関連づけられたオーディオファイルをダウンロードする工程を有し、
コンテンツを追加して前記公開されたコンテンツを修正する前記工程は、前記無線通信デバイス（１０）のユーザインターフェイス（３４）を介して編集機能を提供する工程と、前記ユーザインターフェイス（３４）を介して、前記無線通信デバイス（１０）のユーザから受信した新たなオーディオコンテンツを挿入もしくは付加する工程と、を有する、請求項１に記載の方法。
【請求項３】
サポーティング通信ネットワーク（１４）を介して、公開されたコンテンツを取得する前記工程は、
前記サポーティング通信ネットワーク（１４）を介してアクセス可能なＷｅｂフィードに公開されたコンテンツを取得する工程を有する、請求項１に記載の方法。
【請求項４】
コンテンツを追加して前記公開されたコンテンツを修正する前記工程は、前記コンテンツの少なくとも一部として再公開情報を追加する工程を有する、請求項１に記載の方法。
【請求項５】
再公開情報を追加する前記工程は、前記再公開されたコンテンツを後に識別および取得することを支援する、定義された再公開タグを追加する工程を有する、請求項４に記載の方法。
【請求項６】
再公開情報を追加する前記工程は、
修正時間を示す時間の情報を挿入または付加する工程と、
修正位置を示す無線通信デバイス位置情報を挿入または付加する工程と、
前記再公開されたコンテンツを後に識別および取得することを支援する、定義された再公開タグを挿入または付加する工程と、
のうち少なくとも１つを有する、請求項４に記載の方法。
【請求項７】
修正位置を示す無線通信デバイス位置を挿入または付加する前記工程は、
前記公開されたコンテンツの修正の際に前記無線通信デバイス（１０）がどこに位置していたかを識別する位置情報を、前記公開されたコンテンツに挿入もしくは付加する工程を有する、請求項８に記載の方法。
【請求項８】
前記サポーティング通信ネットワーク（１４）を介して前記無線通信デバイス（１０）がアクセス可能な、１以上の電子フィードにおいて利用可能なコンテンツの指標を、前記無線通信デバイス（１０）のユーザインターフェイス（３４）を介して生成する工程をさらに有する、請求項１に記載の方法。
【請求項９】
前記サポーティング通信ネットワーク（１４）を介して前記無線通信デバイス（１０）がアクセス可能な、１以上の電子フィードにおいて利用可能なコンテンツの指標を、前記無線通信デバイス（１０）のユーザインターフェイス（３４）を介して生成する前記工程は、
前記無線通信デバイス（１０）のディスプレイスクリーン（３６）に、アイコン、または他の指標を表示する工程を有する、請求項８に記載の方法。
【請求項１０】
コンテンツを追加して前記公開されたコンテンツを修正する前記工程は、
前記公開されたコンテンツと異なるタイプのコンテンツを追加する工程を含む、請求項１に記載の方法。
【請求項１１】
前記サポーティング通信ネットワーク（１４）を介してアクセス可能なＷｅｂフィードからオーディオコンテンツをダウンロードすることによって、サポーティング通信ネットワーク（１４）を介して、公開されたコンテンツを取得し、
前記ダウンロードされたオーディオコンテンツに新たなオーディオコンテンツを追加することによって、コンテンツを追加して前記公開されたコンテンツを修正し、
前記公開されたコンテンツの再公開版として前記修正されたコンテンツをリストするようにＷｅｂフィードを更新することによって、前記サポーティング通信ネットワーク（１４）を介して前記修正されたコンテンツを再公開する
ように構成された１以上の処理回路（３０）を有する、無線通信デバイス（１０）。
【請求項１２】
前記Ｗｅｂフィードにはポッドキャストが含まれ、
前記１以上の処理回路（３０）が、
前記ポッドキャストに関連付けられたオーディオファイルをダウンロードし、
当該無線通信デバイス（１０）のユーザインターフェイスを介して編集機能を提供し、該ユーザインターフェイスを介して受け取った新たなオーディオコンテンツを挿入もしくは付加して、前記公開されたコンテンツを修正する
ように構成された、請求項１１に記載の無線通信デバイス（１０）。
【請求項１３】
前記１以上の処理回路（３０）が、
前記サポーティング通信ネットワーク（１４）を介してアクセス可能なＷｅｂフィードに公開されたコンテンツを取得することによって公開されたコンテンツを取得する
ように構成された、請求項１１に記載の無線通信デバイス（１０）。
【請求項１４】
前記１以上の処理回路（３０）が、
前記追加されたコンテンツの少なくとも一部分として、再公開情報を追加することによって、前記公開されたコンテンツを修正するように構成された、請求項１１に記載の無線通信デバイス（１０）。
【請求項１５】
前記１以上の処理回路（３０）が、
前記修正されたコンテンツを後に識別および取得することを支援する、定義された再公開タグを追加することによって、再公開情報を追加するように構成された、請求項１４に記載の無線通信デバイス（１０）。
【請求項１６】
前記１以上の処理回路（３０）が、
修正時間を示す時間情報を挿入もしくは付加することと、
修正位置を示す無線通信デバイス位置情報を挿入もしくは付加することと、
前記修正されたコンテンツを後に識別および取得することを支援する、定義された再公開タグを挿入もしくは付加することと、
の少なくともいずれかにより再公開情報を追加するように構成された、請求項１４に記載の無線通信デバイス（１０）。
【請求項１７】
前記１以上の処理回路（３０）が、
前記公開されたコンテンツの修正の際の無線通信デバイス（１０）の位置を示す位置情報を、前記公開されたコンテンツに挿入もしくは付加するように構成された、請求項１６に記載の無線通信デバイス（１０）。
【請求項１８】
前記１以上の処理回路（３０）が、
前記サポーティング通信ネットワーク（１４）を介して、前記無線通信デバイス（１０）によってアクセス可能な、１以上の電子フィードにおける新たなコンテンツの利用可能性を示すユーザインターフェイスの指標を生成するように構成された、請求項１１に記載の無線通信デバイス（１０）。
【請求項１９】
前記１以上の処理回路（３０）が、
前記無線通信デバイス（１０）のディスプレイスクリーン（３６）に指標を表示することと、
前記無線通信デバイス（１０）のオーディオ出力回路（４２）を介して音声信号を出力することと、
の少なくともいずれかにより、ユーザインターフェイスの指標を生成するように構成された、請求項１８に記載の無線通信デバイス（１０）。
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
無線通信デバイス（１０）において、以前公開された電子形式のコンテンツを再公開する方法であって、
前記サポーティング通信ネットワーク（１４）を介してアクセス可能なＷｅｂフィードからオーディオコンテンツをダウンロードすることによって、サポーティング通信ネットワーク（１４）を介して、公開されたコンテンツを取得する工程と、
前記ダウンロードされたオーディオコンテンツにオーディオコンテンツを追加することによって、前記公開されたコンテンツを修正する工程と、
前記公開されたコンテンツの再公開版として前記修正されたコンテンツをリストするようにＷｅｂフィードを更新することによって、前記サポーティング通信ネットワーク（１４）を介して、前記修正されたコンテンツを再公開する工程と、
を有する方法。
【請求項２】
前記Ｗｅｂフィードはポッドキャストを備え、
前記オーディオコンテンツをダウンロードする前記工程は、前記ポッドキャストに関連づけられたオーディオファイルをダウンロードする工程を有し、
オーディオコンテンツを追加して前記公開されたコンテンツを修正する前記工程は、前記無線通信デバイス（１０）のユーザインターフェイス（３４）を介して編集機能を提供する工程と、前記ユーザインターフェイス（３４）を介して、前記無線通信デバイス（１０）のユーザから受信した新たなオーディオコンテンツを挿入もしくは付加する工程と、を有する、請求項１に記載の方法。
【請求項３】
ダウンロードされた前記オーディオコンテンツに対して再公開情報を追加する工程をさらに有する、請求項１に記載の方法。
【請求項４】
再公開情報を追加する前記工程は、前記再公開されたコンテンツを後に識別および取得することを支援する、定義された再公開タグを追加する工程を有する、請求項３に記載の方法。
【請求項５】
再公開情報を追加する前記工程は、
修正時間を示す時間の情報を挿入または付加する工程と、
修正位置を示す無線通信デバイス位置情報を挿入または付加する工程と、
前記再公開されたコンテンツを後に識別および取得することを支援する、定義された再公開タグを挿入または付加する工程と、
のうち少なくとも１つを有する、請求項３に記載の方法。
【請求項６】
修正位置を示す無線通信デバイス位置情報を挿入または付加する前記工程は、
前記公開されたコンテンツの修正の際に前記無線通信デバイス（１０）がどこに位置していたかを識別する位置情報を、前記公開されたコンテンツに挿入もしくは付加する工程を有する、請求項５に記載の方法。
【請求項７】
前記サポーティング通信ネットワーク（１４）を介して前記無線通信デバイス（１０）がアクセス可能な、１以上の電子フィードにおいて利用可能なコンテンツの指標を、前記無線通信デバイス（１０）のユーザインターフェイス（３４）を介して生成する工程をさらに有する、請求項１に記載の方法。
【請求項８】
前記サポーティング通信ネットワーク（１４）を介してアクセス可能なＷｅｂフィードからオーディオコンテンツをダウンロードすることによって、サポーティング通信ネットワーク（１４）を介して、公開されたコンテンツを取得し、
前記ダウンロードされたオーディオコンテンツに新たなオーディオコンテンツを追加することによって、前記公開されたコンテンツを修正し、
前記公開されたコンテンツの再公開版として前記修正されたコンテンツをリストするようにＷｅｂフィードを更新することによって、前記サポーティング通信ネットワーク（１４）を介して前記修正されたコンテンツを再公開する
ように構成された１以上の処理回路（３０）を有する、無線通信デバイス（１０）。
【請求項９】
前記Ｗｅｂフィードにはポッドキャストが含まれ、
前記１以上の処理回路（３０）が、
前記ポッドキャストに関連付けられたオーディオファイルをダウンロードし、
当該無線通信デバイス（１０）のユーザインターフェイスを介して編集機能を提供し、該ユーザインターフェイスを介して受け取った新たなオーディオコンテンツを挿入もしくは付加して、前記公開されたコンテンツを修正する
ように構成された、請求項８に記載の無線通信デバイス（１０）。
【請求項１０】
前記１以上の処理回路（３０）が、
ダウンロードされた前記オーディオコンテンツに対して再公開情報を追加するようにさらに構成された、請求項８に記載の無線通信デバイス（１０）。
【請求項１１】
前記１以上の処理回路（３０）が、
前記修正されたコンテンツを後に識別および取得することを支援する、定義された再公開タグを追加することによって、再公開情報を追加するように構成された、請求項１０に記載の無線通信デバイス（１０）。
【請求項１２】
前記１以上の処理回路（３０）が、
修正時間を示す時間情報を挿入もしくは付加することと、
修正位置を示す無線通信デバイス位置情報を挿入もしくは付加することと、
前記修正されたコンテンツを後に識別および取得することを支援する、定義された再公開タグを挿入もしくは付加することと、
の少なくともいずれかにより再公開情報を追加するように構成された、請求項１０に記載の無線通信デバイス（１０）。
【請求項１３】
前記１以上の処理回路（３０）が、
前記公開されたコンテンツの修正の際の無線通信デバイス（１０）の位置を示す位置情報を、前記公開されたコンテンツに挿入もしくは付加するように構成された、請求項１２に記載の無線通信デバイス（１０）。
【請求項１４】
前記１以上の処理回路（３０）が、
前記サポーティング通信ネットワーク（１４）を介して、前記無線通信デバイス（１０）によってアクセス可能な、１以上の電子フィードにおける新たなコンテンツの利用可能性を示すユーザインターフェイスの指標を生成するように構成された、請求項８に記載の無線通信デバイス（１０）。
【国際調査報告】
2009512013.tif 000007
2009512013.tif 000008
2009512013.tif 000009